(57)【特許請求の範囲】
【請求項１】
洗い場パンの周端から水平に張り出す水平片とこの水平片から直立する直立片とへ、エプロンの下側のフランジを固定し、前記エプロンの上側のフランジを浴槽の開口縁に引っ掛け、浴槽外周壁の洗い場側を覆う浴槽用エプロンの取付構造において、
前記直立片に当接して位置決めされ前記水平片に固定される固定部材と、前記固定部材から張り出す係合部材と、前記係合部材と係合可能な係合手段と、前記係合手段が取付けられ前記エプロンの下側のフランジに穿設された取付孔に挿入係止されるアンカー手段と、を有し、
前記固定部材が、前記直立片に当接可能な立板と、前記立板の下端から張り出し前記立板が前記直立片と当接状態で前記水平片に載置可能な取付板と、前記取付板に穿設されたねじ孔と、で構成され、
前記係合部材が、前記立板の上端付近から前記取付板と平行に張り出す爪片で構成されたことを特徴とする浴槽用エプロンの取付構造。
【請求項２】
前記アンカー手段が、前記エプロンの下側のフランジに穿設された取付孔へ挿入係止されるクリップと、前記クリップが取付けられる固定板と、前記固定板に形成され前記フランジの縁部を境にしてフランジの表裏面を覆うように固定板を折り返し可能とする薄肉ヒンジと、前記固定板に穿設され折り返えされた状態で前記クリップが挿入可能な係止孔と、で構成され、
前記係合手段が、前記固定板に取付けられ前記爪片と係合可能なフックで構成されたことを特徴とする請求項１に記載の浴槽用エプロンの取付構造。
【発明の詳細な説明】
【０００１】
【産業上の利用分野】
本発明は、浴槽周壁の洗い場側を化粧する浴槽用エプロンの取付構造に関する。
【０００２】
【従来の技術】
図５に示すように、バスユニットでは、床パン６４の上に浴槽６０が載置され、洗い場パン１０側の浴槽６０の壁面６０Ｂが化粧用のエプロン１６で覆われるようになっている。
【０００３】
このエプロン１６の周縁の下側には折曲されたフランジ１６Ａが設けられており、また、エプロン１６の上側には、段状に折曲されたフランジ１６Ｂが設けられている。フランジ１６Ａが洗い場パン１０の端部からクランク状に立ち上がった水平片１０Ａに載置され、また、フランジ１６Ｂが浴槽６０の開口縁６０Ａへ引っ掛けられ、エプロン１６が洗い場パン１０と浴槽６０との間に組付けられるようになっている。
【０００４】
従来、図６から図８に示すように、エプロン１６のフランジ１６Ａと洗い場パン１０の水平片１０Ａとを固定するため、滑りスペーサー７０と引っ掛け金具７２とが用いられる。
【０００５】
この滑りスペーサー７０は、薄い板体で洗い場パン１０側の上角部を斜めに切断したような滑り面７０Ａが形成されている。滑りスペーサー７０の平坦面７０Ｂには、孔７４が穿設されている。この孔７４を通じて、タップねじ２６が水平片１０Ａに現場合わせで穿孔された円孔７６にねじ込まれ、滑りスペーサー７０が水平片１０Ａに固定される。
【０００６】
一方、エプロン１６のフランジ１６Ａには、予め取付孔７８が穿設されており、ねじ８０及びナット８２で引っ掛け金具７２が固定されるようになっている。この引っ掛け金具７２の端部には、フランジ１６Ａから外へ張り出すようにフック部７２Ａが形成されており、このフック部７２Ａを滑り面７０Ａに当て、床パン６４のフランジ６４Ａに向かってスライドさせながら、滑りスペーサー７０の背面７０Ｃに係止させるようになっている。これによって、エプロン１６のフランジ１６Ａが洗い場パン１０の水平片１０Ａに固定される。
【０００７】
ところで、水平片１０Ａに設けられる円孔７６は、浴槽６０等のサイズの違いに対応できるように、現場合わせで穿孔されるようになっている。このため、滑りスペーサー７０の取付位置が一定せず、図８に示すように、引っ掛け金具７２のフック部７２Ａと鉛直片１０Ｂとの間に隙間Ｌが発生し、ガタを生じることがあり、また、見栄えも良くない。
【０００８】
さらに、引っ掛け金具７２の取付けに、ねじ８０とナット８２の２部品を必要とし、作業工数が増加していた。
【０００９】
【発明が解決しようとする課題】
本発明は上記事実を考慮し、取付部材の取付誤差をなくし、また、取付作業工数の低減を実現できる浴槽用エプロンの取付構造を提供することを目的とする。
【００１０】
【課題を解決するための手段】
請求項１に記載の浴槽用エプロンの取付構造は、洗い場パンの周端から水平に張り出す水平片とこの水平片から直立する直立片とへ、エプロンの下側のフランジを固定し、前記エプロンの上側のフランジを浴槽の開口縁に引っ掛け、浴槽外周壁の洗い場側を覆う浴槽用エプロンの取付構造において、前記直立片に当接して位置決めされ前記水平片に固定される固定部材と、前記固定部材から張り出す係合部材と、前記係合部材と係合可能な係合手段と、前記係合手段が取付けられ前記エプロンの下側のフランジに穿設された取付孔に挿入係止されるアンカー手段と、を有し、
前記固定部材が、前記直立片に当接可能な立板と、前記立板の下端から張り出し前記立板が前記直立片と当接状態で前記水平片に載置可能な取付板と、前記取付板に穿設されたねじ孔と、で構成され、前記係合部材が、前記立板の上端付近から前記取付板と平行に張り出す爪片で構成されたことを特徴としている。
【００１２】
請求項２に記載の浴槽用エプロンの取付構造は、前記アンカー手段が、前記エプロンの下側のフランジに穿設された取付孔へ挿入係止されるクリップと、前記クリップが取付けられる固定板と、前記固定板に形成され前記フランジの縁部を境にしてフランジの表裏面を覆うように固定板を折り返し可能とする薄肉ヒンジと、前記固定板に穿設され折り返えされた状態で前記クリップが挿入可能な係止孔と、で構成され、前記係合手段が、前記固定板に取付けられ前記爪片と係合可能なフックで構成されたことを特徴としている。
【００１３】
【作用】
請求項１に記載の浴槽用エプロンの取付構造では、エプロンの上側のフランジを浴槽の開口縁に引っ掛け、洗い場パンの周端から水平に張り出す水平片から直立する直立片へ、エプロンの下側のフランジを固定して浴槽外周壁に洗い場側にエプロンを取付ける。
【００１４】
ここで、固定部材は直立片に当接して位置決めされ水平片に固定されるので、取付位置のバラツキがなくなる。
【００１５】
この固定部材からは、係合部材が張り出しており、係合手段が係合する。この係合手段は、エプロンの下側のフランジに穿設された取付孔に挿入係止されるアンカー手段に取付けられており、これによって、エプロンの下側のフランジが洗い場パンに固定される。このように、アンカー手段によって係合手段をエプロンの下側のフランジに取付けることで、ねじ及びナットが不要となり、作用工数を減少させることができる。
【００１６】
また、立板が洗い場パンの直立片に当接した状態で、取付板が水平片に載置される。この取付板には、ねじ孔が穿設されており、このねじ孔へドリル等を挿入し、水平片に円孔を穿設することによって、タップねじ等で取付部材を正確な位置に固定することができる。
【００１７】
また、爪片が、立板の上端付近から取付板と平行に張り出しており、取付板側へ撓み可能となっている。
【００１８】
請求項２に記載の浴槽用エプロンの取付構造では、クリップがエプロンの下側のフランジに穿設された取付孔へ挿入係止され、固定板がフランジに固定される。この固定板には、薄肉ヒンジが形成されており、フランジの縁部を境にして折り返してフランジの表裏面を覆うことができるようになっている。
【００１９】
また、固定板には係止孔が穿設されており、折り返された状態で取付孔から突出したクリップへ挿入される。このように、フランジの両面を挟むようにして固定板を取付けることで取付強度が向上し、また、クリップが外れ難くなる。
【００２０】
この固定板には、フックが取付けられており、フランジを洗い場パンの直立片に向かって押し付ければ爪片と係合して、エプロンが固定される。
【００２１】
【実施例】
図１〜図４に示すように、本実施例に係る浴槽用エプロンの取付構造は、洗い場パン１０側に取付けられるストッパー部材１２と、エプロン１６側に取付けられるフック部材１４とで構成されている。
【００２２】
ストッパー部材１２は、図２に示すように、洗い場パン１０の周端からクランク状に立ち上がった直立片１０Ｂと当接する長板状の立板１８を備えている。この立板１８の下端はＲ加工されており、洗い場パン１０の水平片１０Ａと直立片１０Ｂとの角部に係合するようになっている。
【００２３】
立板１８の中央部には、所定の幅に亘って凹部２０が形成されている。この凹部２０の下端から立板１８と直交するように矩形状の取付板２２が張り出し、その下面は、立板１８の下端と同一平面上にある。
【００２４】
この取付板２２の中央には、タップねじ２６が挿入されるねじ孔２８が穿孔されている。従って、立板１８と直立片１０Ｂとを背中合わせにして、取付板２２を水平片１０Ａに載置し、ねじ孔２８からドリルを挿入して水平片１０Ａを穿孔することによって、一定の位置に円孔３０を設けることができる。
【００２５】
また、立板１８の上端付近から取付板２２と平行に爪片３２が張り出している。この爪片３２は、凹部２０の両端部付近から立板１８の端部に亘って延設されている。爪片３２の先端部には、上方に膨出して形成された係合部３２Ａと、係合部３２Ａから下方へ傾斜する案内面３２Ｂが形成されている。
【００２６】
一方、図３に示すように、フック部材１４は、長方形状の固定板３４を備えており、この固定板３４の幅方向の一辺は矩形状に切り取られ、切込み部３６が形成されている。また、固定板３４の中央には、切込み部３６の縁部から固定板３４の長手方向の端部に延出する薄肉ヒンジ３８が凹設されている。この薄肉ヒンジ３８を境にして固定板３４が折り曲げ可能となっており、切込み部３６を設けることによって、折り曲げ反力を低減させている。
【００２７】
一方、固定板３４の幅方向の一端には、クリップ４０が設けられている。このクリップ４０は、エプロン１６のフランジ１６Ａと弾接する湾曲した頭部４２と、この頭部４２から立設する板状の脚体４４とを備えている。この脚体４４の両側面には、先端部から頭部４２に向かって互いに離間する方向へ張り出す弾性片４６が形成されている。この弾性片４６は、フランジ１６Ａに穿設された取付孔４８へ挿入されると、孔壁に押されて縮径し、取付孔４８を通過すると弾性復帰して、取付孔４８に係止される。
【００２８】
また、固定板３４の他端には、取付孔４８と略同径の係止孔５０が穿設されている。この係止孔５０は、薄肉ヒンジ３８を境にして固定板３４が折り曲げられたとき、取付孔４８へ突出した脚体４４と対応する位置にあり、脚体４４へ挿入係止される。これによって、折り重ねられた固定板３４がフランジ１６Ａの表裏面を挟んだ状態で保持され、また、クリップ４０の引抜きに対する強度を向上させている。なお、クリップ４０の頭部４２と弾性片４６の先端との間隔は、固定板３４及びフランジ１６Ａの肉厚を考慮し設定してある。
【００２９】
一方、固定板３４の裏面側（クリップ４０と反対側）には、フック５２が設けられている。このフック５２は、図１に示すように、固定板３４がフランジ１６Ａに折り重ねられた状態で上方に直立する支持片５４と、この支持片５４からフランジ１６Ａと反対方向へ張り出す水平片５６とを備えている。この水平片５６の先端部には、下方に膨出するように形成され爪片３２の係合部３２Ａと係合するフック部５６Ａと、フック部５６Ａから上方へ傾斜する誘導面５６Ｂとが形成されている。
【００３０】
次に、本実施例に係る浴槽用エプロンの取付構造の作用を説明する。
先ず、ストッパー部材１２の立板１８と洗い場パン１０の直立片１０Ｂとを背中合わせにして、ねじ孔２８からドリルを挿入して、水平片１０Ａに円孔３０を穿孔する。このようにねじ孔２８を位置決めして、円孔３０を穿孔することで、円孔３０の位置にバラツキが発生せず、ストッパー部材１２がタップねじ２６で正確な位置に固定される。
【００３１】
一方、フランジ１６Ａの取付孔４８へクリップ４０の脚体４４を挿入係止する。ここで、薄肉ヒンジ３８を境にして固定板３４を折り曲げ、係止孔５０を脚体４４へ挿入係止する。この折り重ねられた固定板３４がクリップ４０の引抜きに対する強度を向上させる。また、クリップ４０を用いることによって、ねじ及びナットが不要となり、作用工数を減少させることができる。
【００３２】
次に、エプロン１６の上側のフランジ１６Ｂを浴槽６０の開口縁６０Ａに引っ掛け、このフランジ１６Ｂを支点としてエプロン１６の下側のフランジ１６Ａを洗い場パン１０の直立片１０Ｂへ押し当てるようにする（図５参照）。
【００３３】
このとき、フック５２の誘導面５６Ｂが爪片３２の案内面３２Ｂと摺動し、爪片３２を下方へ押し下げる。ここで、さらに押し込むと、誘導面５６Ｂが案内面３２Ｂから離れ、爪片３２が弾性復帰して上方へ持ち上がり、節度感を持って係合部３２Ａとフック部５６Ａとが係合し、エプロン１６の取付けが完了する。
【００３４】
なお、エプロン１６を外すときは、楔状の治具を固定板３４の切込み部３６へ差し込みエプロン１６を上方へ持ち上げれば、係合部３２Ａとフック部５６Ａとの係合状態が解除され、下側のフランジ１６Ａを洗い場パン１０から外すことができる。
【００３５】
【発明の効果】
本発明は上記構成としたので、エプロンの取付誤差が無くなり、取付作業工数を低減させることができる。また、エプロンを節度感を持って取付けることができ、さらに、エプロンの取外しも容易にできる。
【図面の簡単な説明】
【図１】本実施例に係る浴槽用エプロンの取付構造を示した断面図である。
【図２】本実施例に係るストッパー部材の取付態様を示した分解斜視図である。
【図３】本実施例に係るフック部材の取付態様を示した分解斜視図である。
【図４】本実施例に係るフック部材とストッパー部材との取り合い関係を示した分解斜視図である。
【図５】浴槽とエプロンと取り合い関係を示した分解斜視図である。
【図６】洗い場パンに固定される従来のスペーサーを示した分解斜視図である。
【図７】エプロンに固定される従来の引っ掛け金具を示した分解斜視図である。
【図８】従来の浴槽用エプロンの取付構造を示した断面図である。
【符号の説明】
１８    立板（固定部材）
２２    取付板（固定部材）
２８    ねじ孔（固定部材）
３２    爪片（係合部材）
３４    固定板
３８    薄肉ヒンジ
４６    クリップ（アンカー手段）
５０    係止孔
５２    フック（係合手段）
【図１】
0003559342.tif 000002
【図２】
0003559342.tif 000003
【図３】
0003559342.tif 000004
【図４】
0003559342.tif 000005
【図５】
0003559342.tif 000006
【図６】
0003559342.tif 000007
【図７】
0003559342.tif 000008
【図８】
0003559342.tif 000009